(57)【要約】【課題】携帯端末装置におけるキー入力の操作性を向上させる。【解決手段】携帯端末装置１は、筐体１ａ，１ｂと入力キー１ｃを有する。筐体１ｂは、筐体１ａに対しクローズしている第１の形態と、第１の形態から筐体１ａに対してスライドさせた第２の形態と、筐体１ａと分離している第３の形態とを含む変形形態をとる。入力キー１ｃは、筐体１ａの表面上であって、第１の形態および第２の形態では筐体１ｂによって覆われ、第３の形態では露出する位置に設けられている。【選択図】図１
2010288065.tif 000002
【特許請求の範囲】
【請求項１】
第１の筐体と、
前記第１の筐体に対しクローズしている第１の形態と、前記第１の形態から前記第１の筐体に対してスライドさせた第２の形態と、前記第１の筐体と分離している第３の形態とを含む変形形態をとる第２の筐体と、
前記第１の筐体の表面上であって、前記第１の形態および前記第２の形態では前記第２の筐体によって覆われ、前記第３の形態では露出する位置に設けられた入力キーと、
を有することを特徴とする携帯端末装置。
【請求項２】
前記第１の筐体の表面上であって、前記第１の形態では前記第２の筐体によって覆われ、前記第２の形態および前記第３の形態では露出する位置に設けられた他の入力キーを更に有することを特徴とする請求項１記載の携帯端末装置。
【請求項３】
前記第３の形態では、前記入力キーおよび前記他の入力キーを含む入力キー群を一体の入力デバイスと見なし、前記入力キー群に文字群を割り当てる制御部を更に有することを特徴とする請求項２記載の携帯端末装置。
【請求項４】
前記第２の形態の場合と前記第３の形態の場合とで、前記他の入力キーに異なる文字を割り当てる制御部を更に有することを特徴とする請求項２記載の携帯端末装置。
【請求項５】
前記第２の形態のとき前記他の入力キー上に文字を表示させ、前記第３の形態のとき前記入力キーおよび前記他の入力キー上に前記第２の形態のときとは異なる角度で文字を表示させる制御部を更に有することを特徴とする請求項２記載の携帯端末装置。
【請求項６】
前記第１の形態および前記第２の形態では前記入力キー上に文字を表示させず、前記第３の形態では前記入力キー上に文字を表示させる制御部を更に有することを特徴とする請求項１記載の携帯端末装置。
【発明の詳細な説明】
【技術分野】
【０００１】
本件は携帯端末装置に関する。
【背景技術】
【０００２】
現在、携帯電話機などの携帯端末装置の処理能力が向上し、多機能化が進んでいる。携帯端末装置には、例えば、文書作成、ウェブサイトへのアクセス、電子メール送受信、動画再生など、様々な種類の情報処理を行えるものがある。このような携帯端末装置は、ユーザが入力操作を行うための入力キーを備えることが多い。例えば、数字の入力に好適なテンキーや、アルファベットその他の文字の入力に好適なＱＷＥＲＴＹキーボード（または、フルキーボードと呼ばれることもある）を備えた携帯端末装置がある。特に、後者はデスクトップ型コンピュータでも多く利用されており、文章入力に好適である。
【０００３】
キーボードを備える携帯端末装置に関し、テンキーの下層に伸縮可能なＱＷＥＲＴＹキーボードを備えた電子装置がある。この電子装置は、ＱＷＥＲＴＹキーボードが折り畳まれているときはテンキーが露出する。また、表示部を備える上段ケースとフルキーボードを備える中段ケースとテンキーを備える下段ケースとを３段重ねにした携帯型電子機器がある。この携帯型電子機器は、上段ケースを中段ケースに対し回転させたときフルキーボードが露出し、下段ケースを中段ケースに対しスライドさせたときテンキーが露出する。
【先行技術文献】
【特許文献】
【０００４】
【特許文献１】国際公開第０３／０２８３４６号
【特許文献２】特開２００７−１７９５２５号公報
【発明の概要】
【発明が解決しようとする課題】
【０００５】
ここで、スライド型の携帯端末装置、すなわち、２つの筐体（または、それ以上の数の筐体）を備えており一方の筐体が他方の筐体に対しスライド可能なものを考える。このような携帯端末装置では、前述のように、スライド時に露出する領域に入力キーを配置する方法が考えられる。しかし、スライド時に露出する領域だけでは、配置スペースが十分でなくキー入力の操作性が低下するおそれがある。また、入力キーを配置するための筐体を別途追加する方法も考えられる。しかし、筐体を追加すると、携帯端末装置の携帯性や操作性が低下するおそれがある。
【０００６】
本件はこのような点に鑑みてなされたものであり、キー入力の操作性を向上させた携帯端末装置を提供することを目的とする。
【課題を解決するための手段】
【０００７】
上記課題を解決するために、第１の筐体と第２の筐体と入力キーとを有する携帯端末装置が提供される。第２の筐体は、第１の筐体に対しクローズしている第１の形態と、第１の形態から第１の筐体に対してスライドさせた第２の形態と、第１の筐体と分離している第３の形態とを含む変形形態をとる。入力キーは、第１の筐体の表面上であって、第１の形態および第２の形態では第２の筐体によって覆われ、第３の形態では露出する位置に設けられている。
【発明の効果】
【０００８】
上記携帯端末装置によれば、キー入力の操作性が向上する。
【図面の簡単な説明】
【０００９】
【図１】第１の実施の形態の携帯端末装置を示す図である。
【図２】第２の実施の形態の携帯電話機の外観を示す図である。
【図３】第２の実施の形態の分離状態の携帯電話機の外観を示す図である。
【図４】第２の実施の形態の携帯電話機のハードウェアを示すブロック図である。
【図５】マグネットを用いた状態検出方法を示す図である。
【図６】携帯電話機の機能を示すブロック図である。
【図７】設定情報のデータ構造を示す図である。
【図８】キー割当スタイルを示す第１の図である。
【図９】キー割当スタイルを示す第２の図である。
【図１０】キー割当制御を示す第１のフローチャートである。
【図１１】キー割当制御を示す第２のフローチャートである。
【図１２】キー割当スタイルの変化例を示す状態遷移図である。
【図１３】第３の実施の形態の携帯電話機の外観を示す図である。
【図１４】第３の実施の形態の分離状態の携帯電話機の外観を示す図である。
【図１５】第４の実施の形態の携帯電話機のハードウェアを示すブロック図である。
【図１６】第５の実施の形態の状態検出方法を示す図である。
【発明を実施するための形態】
【００１０】
以下、本実施の形態を図面を参照して詳細に説明する。
［第１の実施の形態］
図１は、第１の実施の形態の携帯端末装置を示す図である。第１の実施の形態に係る携帯端末装置１は、ユーザが入力キーを用いて入力操作を行える端末装置である。携帯端末装置１としては、例えば、携帯電話機、携帯型ゲーム機、電子辞書装置などの電子機器が考えられる。また、ノート型コンピュータやＰＤＡ（Personal Digital Assistant）などの情報処理装置も考えられる。
【００１１】
携帯端末装置１は、筐体１ａ，１ｂを有する。筐体１ａ（第１の筐体）に対し、筐体１ｂ（第２の筐体）は、スライド可能かつ分離可能であり、第１〜第３の形態を含む変形形態をとる。
【００１２】
第１の形態では、筐体１ａと筐体１ｂとがクローズしている。すなわち、筐体１ａ，１ｂが厚さ方向に重なっている。ただし、両者の側面が揃っていなくてもよい。第２の形態では、第１の形態から、筐体１ｂが筐体１ａに対しスライドしている。なお、図１では筐体１ｂの長手方向にスライドしているが、短手方向にスライドしてもよい。第３の形態では、筐体１ｂが筐体１ａから分離する。なお、スライド後の状態（第２の形態）から分離できてもよいし、スライド前の状態（第１の形態）から直接分離できてもよい。
【００１３】
携帯端末装置１は、更に、入力キー１ｃを有する。入力キー１ｃは、例えば、アルファベットその他の文字の入力、数字の入力、十字方向の入力、所定機能の呼び出しに用いることができる。入力キー１ｃは、筐体１ａの表面のうちの筐体１ｂ側に設けられている。より具体的には、第１の形態と第２の形態では筐体１ｂによって覆われて露出せず、第３の形態では露出する場所（第１の領域）に設けられている。すなわち、入力キー１ｃは、筐体１ｂが収納状態またはスライド状態にあるときは使用されず、分離状態にあるときに使用される。第１の領域には、入力キー１ｃを含む複数の入力キーを設けてもよい。
【００１４】
なお、筐体１ａの表面のうち第１の領域と同じ面であって、第１の形態では筐体１ｂによって覆われて露出せず、第２の形態と第３の形態では露出する場所（第２の領域）に、更に入力キーを設けてもよい。第２の領域の入力キーは、筐体１ｂが収納状態にあるときは使用されず、スライド状態または分離状態にあるときに使用される。例えば、第２の形態で、第２の領域の入力キーをテンキーとして使用することが考えられる。
【００１５】
一方、第３の形態では、第１の領域の入力キーと第２の領域の入力キーを、一体の入力キー群と見なして文字群の割り当てを行ってもよい。例えば、第１の領域の入力キーと第２の領域の入力キーの両方を用いて、アルファベット２６文字を入力できるキーボードを実現することが考えられる。ただし、第３の形態でも、第１の領域の入力キーと第２の領域の入力キーとを別々の用途に用いてもよい。例えば、第１の領域の入力キーを十字キーとして使用し、第２の領域の入力キーをテンキーとして使用することが考えられる。
【００１６】
また、携帯端末装置１は、筐体１ａが備える入力キーへの文字割り当てを、変形形態毎に変えるよう制御してもよい。例えば、第２の領域の入力キーを、第２の形態ではテンキーとして使用し、第３の形態ではＱＷＥＲＴＹキーとして使用するよう制御してもよい。ただし、所定の種類の通信（例えば、音声通話）を行っている間に、筐体１ｂが第２の形態から第３の形態に変形した場合は、文字割り当てを変更せずに第２の形態の文字割り当てを維持してもよい。
【００１７】
第１〜第３の形態を含む変形形態は、例えば、磁気による方法で検出できる。この場合は、筐体１ａ，１ｂの一方にマグネットを、他方に磁気センサを設ければよい。または、指向性のある通信方式（例えば、赤外線通信）で通信可能か否かで検出してもよい。
【００１８】
また、携帯端末装置１は、筐体１ａが備える入力キーの表面に、その入力キーに割り当てた文字を表示してもよい。文字割り当てを動的に変更しない場合は、例えば、入力キーの表面に文字を印字する方法が考えられる。一方、文字割り当てを動的に変更可能にする場合は、例えば、バックライト制御により入力キーの表面に浮き出る文字を変更する方法や、文字を印字したシートを筐体１ａの内部でスライドさせる方法が考えられる。
【００１９】
文字割り当てを動的に変更可能にする場合、第２の形態と第３の形態とで表示角度を変えてもよい。例えば、第２の形態では、第２の領域の入力キーの表面に、携帯端末装置１の長手方向を上下方向として文字を表示する。一方で、第３の形態では、第１の領域および第２の領域の入力キーの表面に、携帯端末装置１の短手方向を上下方向として文字を表示することが考えられる。
【００２０】
また、バックライト制御で入力キー表面に文字を表示する場合、携帯端末装置１は、使用されない位置の入力キーの文字表示を停止して省電力化を図ってもよい。例えば、第１の形態では、第１の領域および第２の領域の入力キーの文字表示を停止できる。第２の形態では、第１の領域の入力キーの文字表示を停止できる。
【００２１】
なお、入力キーへの文字割り当てや文字表示を制御する制御部は、筐体１ａ内に設けることもできるし、筐体１ｂ内に設けることもできる。筐体１ｂ内に設けた場合、例えば、筐体１ｂが筐体１ａと無線通信を行って、入力キー１ｃを含む入力キー群を制御することが考えられる。
【００２２】
このような携帯端末装置１によれば、筐体１ｂは、筐体１ａに対しクローズしている第１の形態と、第１の形態から筐体１ａに対してスライドさせた第２の形態と、筐体１ａと分離している第３の形態とを含む変形形態をとる。入力キー１ｃは、筐体１ａの表面上であって、第１の形態および第２の形態では筐体１ｂによって覆われ、第３の形態では露出する位置に設けられる。
【００２３】
これにより、筐体１ｂの分離前には露出しない領域を入力キーの領域として有効活用することができ、分離状態でのキー入力の操作性が向上する。特に、スライド時に露出する領域と分離時に露出する領域の両方を入力キーの領域として用いた場合、入力キー群のために広い領域を確保できる。従って、ＱＷＥＲＴＹキーボードのように多数の入力キーを配置する場合であっても、各入力キーのサイズやキーピッチを大きく確保できる。
【００２４】
また、スライド状態と分離状態とで、スライド時に露出する領域の入力キーへの文字割り当てを変えることにより、その入力キーをスライド状態と分離状態の両方で有効活用できる。その場合に、入力キー表面に表示する文字の表示角度も変更することで、ユーザの使用態様に適応した操作性の向上が図れる。また、スライド時に露出する領域と分離時に露出する領域について別個に文字表示を停止できるようにすることで、変形態様に応じた省電力化が図れる。
【００２５】
以下の第２〜第５の実施の形態では、第１の実施の形態に係る携帯端末装置１の応用例として、携帯電話機を挙げる。ただし、前述の通り、携帯端末装置１は、携帯電話機以外の様々な電子機器に応用できる。
【００２６】
［第２の実施の形態］
図２は、第２の実施の形態の携帯電話機の外観を示す図である。第２の実施の形態に係る携帯電話機１００は、無線による通話機能を備えた携帯端末装置である。携帯電話機１００は、可動部１１０と本体部１２０とを有する。可動部１１０は第１の実施の形態の筐体１ｂの一例であり、本体部１２０は第１の実施の形態の筐体１ａの一例である。
【００２７】
可動部１１０は、本体部１２０の正面側に重なっている。可動部１１０の長手方向の長さ（高さ）および短手方向の長さ（幅）は、それぞれ本体部１２０の高さおよび幅とほぼ同じである。収納状態（第１の形態）では、可動部１１０の側面と本体部１２０の側面とがほぼ揃っている。可動部１１０は、本体部１２０の長手方向にスライドでき、所定の位置で停止する。図２は、スライド状態（第２の形態）を示している。スライド状態では、本体部１２０の高さの約半分が可動部１１０と重なっている。
【００２８】
可動部１１０は、正面にディスプレイ１１１とスピーカ１１２とを有する。本体部１２０は、正面にマイクロホン１２１とキーパッド１２２とを有する。キーパッド１２２は、複数の入力キーを備える。キーパッド１２２は、収納状態では可動部１１０によって覆われて露出せず、スライド状態ではその一部分が露出する。
【００２９】
また、可動部１１０がスライドするために、本体部１２０は、正面に窪んだ状態のレール部１０１を有する。レール部１０１は、左側面寄り（図２（Ａ）の上側）および右側面寄り（図２（Ａ）の下側）の端に、スライド方向に沿って設けられている。また、可動部１１０は、背面に突出した状態の枠部１０２を有する。枠部１０２は、レール部１０１と同様に、左側面寄りおよび右側面寄りの端に、スライド方向に沿って設けられている。図２（Ｃ）は、携帯電話機１００を図２（Ａ）の左から見た形状を示している。レール部１０１と枠部１０２とがかみ合うことで、可動部１１０がスライドすることができる。
【００３０】
なお、図２の例では、可動部１１０を長手方向にスライドできるようにしたが、短手方向にスライドできるようにしてもよい。その場合、底面寄り（図２（Ａ）の左側）および上面寄り（図２（Ａ）の右側）に、レール部および枠部を設ければよい。また、可動部１１０を長手方向と短手方向の両方向にスライドできるようにしてもよい。その場合、長手方向にスライドするためのレール部および枠部と、短手方向にスライドするためのレール部および枠部とを両方設ければよい。
【００３１】
図３は、第２の実施の形態の分離状態の携帯電話機の外観を示す図である。ユーザは、図２に示したスライド状態から、可動部１１０を本体部１２０から引き離すようにしつつ更にスライドさせることで、分離状態（第３の形態）にすることができる。ただし、収納状態から直接、分離状態に変形できるようにしてもよい。
【００３２】
可動部１１０は、背面に接点パッド１１４ａ，１１４ｂを有する。接点パッド１１４ａ，１１４ｂは、本体部１２０と接触通信（すなわち、非無線通信）を行うための接続端子を備えている。接点パッド１１４ａは上面寄り（図３（Ａ）の右側）の端に設けられ、接点パッド１１４ｂは長手方向の中央辺りに設けられている。本体部１２０は、正面に接点パッド１２３を有する。接点パッド１２３は、可動部１１０と接触通信を行うための接続端子を備えている。接点パッド１２３は上面寄りの端に設けられている。
【００３３】
接点パッド１１４ａの接続端子と接点パッド１２３の接続端子とが接触すると、両者の間で通電し通信を行うことができる。同様に、接点パッド１１４ｂの接続端子と接点パッド１２３の接続端子とが接触すると、両者の間で通電し通信を行うことができる。なお、キーパッド１２２は、分離状態ではその全部が露出する。
【００３４】
図４は、第２の実施の形態の携帯電話機のハードウェアを示すブロック図である。第２の実施の形態に係る携帯電話機１００は、前述の通り、可動部１１０と本体部１２０とを有する。可動部１１０と本体部１２０とは、入力キーの制御を含む各種制御のため、接触通信または非指向性の無線通信を行うことができる。
【００３５】
可動部１１０は、前述のディスプレイ１１１、スピーカ１１２および接点パッド１１４ａ，１１４ｂと共に、タッチパネル１１３、無線通信部１１５、ＭＲセンサ１１６、無線部１１７、制御部１１８およびメモリ１１９を有する。
【００３６】
ディスプレイ１１１は、制御部１１８の制御に従って、各種画像を表示する。ディスプレイ１１１として、例えば、液晶ディスプレイや有機ＥＬ（Electro Luminescence）ディスプレイを用いることができる。ディスプレイ１１１は、タッチパネル１１３の下層に位置し、表示する画像はタッチパネル１１３を透過して正面から視認可能である。表示画像には、例えば、待ち受け画面、操作画面、テキスト、コンテンツ画像などが含まれる。
【００３７】
スピーカ１１２は、制御部１１８の制御に従って、電気信号を物理振動に変換して音を再生する。例えば、ユーザが通話を行っているとき、通話相手の声や通話相手側の背景雑音がスピーカ１１２から出力される。
【００３８】
タッチパネル１１３は、ユーザのタッチ操作を検出し、タッチされた位置を入力信号として制御部１１８に出力する。タッチペンなどのポインティングデバイスまたはユーザの指によりタッチ操作が行われる。ユーザは、ディスプレイ１１１によって表示された画像を見ながら、タッチパネル１１３に対してタッチ操作を行える。タッチ位置の検出には、例えば、マトリクススイッチ方式、抵抗膜方式、表面弾性波方式、赤外線方式、電磁誘導方式、静電容量方式など様々な検出方式があり、何れの方式を採用してもよい。
【００３９】
接点パッド１１４ａ，１１４ｂは、本体部１２０と接触通信を行うための接続端子を有する。収納状態とスライド状態の何れでも接触通信が行えるよう、接点パッド１１４ａと接点パッド１１４ｂとは、可動部１１０の背面の異なる位置に設けられている。接続端子は、本体部１２０の接点端子と容易に接触できるよう、接点パッド１１４ａ，１１４ｂが設けられた面から少し突出していることが好ましい。接点パッド１１４ａ，１１４ｂは、接点パッド１２３と接触しているとき、制御部１１８の制御に従って通信を行う。
【００４０】
無線通信部１１５は、制御部１１８の制御に従って、本体部１２０と無線通信を行う。無線通信部１１５は、指向性の無い無線通信方式を用いる。例えば、Ｂｌｕｅｔｏｏｔｈ（登録商標）、Ｚｉｇｂｅｅ、ＷｉｒｅｌｅｓｓＵＳＢ（Universal Serial Bus）、無線ＬＡＮ（Local Area Network）などの通信方式を用いることが考えられる。
【００４１】
ＭＲセンサ１１６は、磁気抵抗（ＭＲ：Magneto Resistive）素子を用いて磁界の変化を検出し、検出結果を制御部１１８に通知するセンサである。ＭＲセンサ１１６は、本体部１２０が備えるマグネットの磁界を検出する。これにより、制御部１１８が、可動部１１０と本体部１２０とが分離しているか否かを判定することができる。
【００４２】
無線部１１７は、制御部１１８の制御に従って無線信号処理を行い、無線基地局など他の通信装置と無線通信を行う。具体的には、無線部１１７は、可動部１１０に搭載されたアンテナを介して受信した信号を復調・復号し、得られた受信データを制御部１１８に出力する。また、制御部１１８から取得した送信データを符号化・変調し、得られた送信信号をアンテナを介して出力する。無線部１１７が送受信するデータには、音声データ、画像データ、テキストデータ、制御情報などが含まれる。
【００４３】
制御部１１８は、携帯電話機１００全体を制御する。制御部１１８は、例えば、ＣＰＵ（Central Processing Unit）とＲＡＭ（Random Access Memory）で実現できる。ＣＰＵは、メモリ１１９からプログラムやデータを読み出し、ＲＡＭに展開してプログラムを実行する。ＲＡＭは、プログラムやデータの少なくとも一部を一時的に格納する揮発性メモリである。なお、ＲＡＭに代えて、他の種類のメモリを用いてもよい。制御部１１８の制御には、通信制御、音声入出力制御、キー操作制御などが含まれる。
【００４４】
メモリ１１９は、制御部１１８が使用するプログラムやデータを格納する不揮発性メモリである。メモリ１１９として、例えば、フラッシュメモリを用いることができる。制御部１１８により、メモリ１１９に格納されたプログラムやデータの読み出しや、メモリ１１９へのデータの書き込みが行われる。
【００４５】
本体部１２０は、前述のマイクロホン１２１、キーパッド１２２および接点パッド１２３と共に、無線通信部１２４、マグネット１２５ａ，１２５ｂ、制御部１２６およびメモリ１２７を有する。
【００４６】
マイクロホン１２１は、音の物理振動を電気信号に変換して音声入力を受け付け、制御部１２６経由で制御部１１８に出力する。例えば、ユーザが通話を行っているとき、ユーザの声やユーザ側の背景雑音がマイクロホン１２１から入力される。
【００４７】
キーパッド１２２は、複数の入力キーを備えている。ＱＷＥＲＴＹキーボードとして機能するために、好ましくは、２６個（アルファベット２６文字分）以上の入力キーを備えている。キーパッド１２２は、何れかの入力キーが押下されると、押下された入力キーを示す入力信号を制御部１２６経由で制御部１１８に出力する。
【００４８】
入力キーへの文字割り当ては、制御部１２６が動的に変更することができる。文字割り当ては、スライド状態では露出しないが分離状態で露出する領域（第１の領域）と、収納状態では露出しないがスライド状態で露出する領域（第２の領域）とで、別々に制御することができる。第１の領域および第２の領域それぞれについて、少なくとも２パターンの文字割り当てが可能である。
【００４９】
また、キーパッド１２２は、バックライトを備えている。バックライトの点灯および消灯は、文字割り当てと同様、第１の領域および第２の領域について別々に制御できる。露出していない領域は、バックライトを消すことで省電力化が図れる。また、文字割り当てが変更されると、入力キー表面に表示される（浮き出る）文字も変更される。例えば、バックライトとして複数の色の発光ダイオード（ＬＥＤ：Light Emitting Diode）を設け、ＬＥＤの色毎に異なる文字が浮き出るようにする方法が考えられる。この方法では、消灯時は文字が表示されない状態（ブランク状態）になる。ただし、第１の実施の形態で述べたように、シートスライドによる表示変更方法を用いてもよい。
【００５０】
接点パッド１２３は、可動部１１０と接触通信を行うための接続端子を有する。接点パッド１２３は、接点パッド１１４ａまたは接点パッド１１４ｂと接触しているとき、制御部１２６の制御に従って通信を行う。
【００５１】
無線通信部１２４は、制御部１２６の制御に従って、可動部１１０と無線通信を行う。無線通信部１２４は、無線通信部１１５と同様、指向性の無い無線通信方式を用いる。例えば、Ｂｌｕｅｔｏｏｔｈ、Ｚｉｇｂｅｅ、ＷｉｒｅｌｅｓｓＵＳＢ、無線ＬＡＮなどの通信方式を用いることが考えられる。
【００５２】
マグネット１２５ａ，１２５ｂは、磁界を発生させる磁性体である。収納状態とスライド状態の何れでもＭＲセンサ１１６が磁界を検出できるよう、マグネット１２５ａとマグネット１２５ｂとは、本体部１２０内の異なる位置に設けられている。
【００５３】
制御部１２６は、制御部１１８の制御に基づき、本体部１２０側の動作を制御する。制御部１２６は、制御部１１８と同様、ＣＰＵとＲＡＭで実現できる。ＣＰＵは、メモリ１２７からプログラムやデータを読み出し、ＲＡＭに展開してプログラムを実行する。ＲＡＭは、プログラムやデータの少なくとも一部を一時的に格納する揮発性メモリである。なお、ＲＡＭに代えて、他の種類のメモリを用いてもよい。制御部１２６の制御には、通信制御、音声入力制御、キー操作制御などが含まれる。
【００５４】
メモリ１２７は、制御部１２６が使用するプログラムやデータを格納する不揮発性メモリである。メモリ１２７として、例えば、フラッシュメモリを用いることができる。制御部１２６により、メモリ１２７に格納されたプログラムやデータの読み出しや、メモリ１２７へのデータの書き込みが行われる。
【００５５】
なお、第２の実施の形態に係る携帯電話機１００では、図４に示したように、基地局との通信機能をディスプレイ１１１を備える可動部１１０側に設けた。これは、動画データのようにサイズの大きいデータを基地局から受信して表示する場合でも、データサイズに応じた帯域を可動部１１０と本体部１２０との間で確保しなくてよいという利点がある。ただし、可動部１１０と本体部１２０との間の通信帯域が十分大きければ、基地局との通信機能を本体部１２０側に設けてもよい。
【００５６】
また、本体部１２０の制御部１２６の処理能力は、可動部１１０の制御部１１８の処理能力と同等でなくてもよい。例えば、制御部１２６のＣＰＵの演算能力を制御部１１８のＣＰＵの演算能力より低くしてもよい。また、図４では可動部１１０に２つの接点パッド１１４ａ，１１４ｂを設け、本体部１２０に１つの接点パッド１２３を設けているが、個数を逆にしてもよい。また、可動部１１０にＭＲセンサ１１６を設け、本体部１２０に２つのマグネット１２５ａ，１２５ｂを設けているが、両者の配置を逆にしてもよい。
【００５７】
また、第２の実施の形態に係る携帯電話機１００では、収納状態およびスライド状態では可動部１１０と本体部１２０とが接触通信を行うとしたが、指向性を有する無線通信方式で通信を行ってもよい。その場合、接点パッド１１４ａ，１１４ｂ，１２３に代えて、無線ポートを設ければよい。指向性を有する無線通信方式として、例えば、赤外線通信やＲＦＩＤ（Radio Frequency IDentification）の通信方式を用いることができる。
【００５８】
図５は、マグネットを用いた状態検出方法を示す図である。図５は、携帯電話機１００を右側面（図３（Ａ）の下側）から見た状態を示している。収納状態（図５（Ａ））では可動部１１０の背面全体と本体部１２０の正面全体とが向かい合っている。スライド状態（図５（Ｂ））では可動部１１０の背面の一部と本体部１２０の正面の一部とが向かい合っている。分離状態（図５（Ｃ））では本体部１２０の正面全体が露出している。
【００５９】
収納状態では、可動部１１０の接点パッド１１４ａと本体部１２０の接点パッド１２３とが向かい合い接触する。これにより、可動部１１０と本体部１２０とは、接点パッド１１４ａ，１２３を介した接触通信が可能となる。また、収納状態では、可動部１１０のＭＲセンサ１１６と本体部１２０のマグネット１２５ｂとが向かい合う。これにより、ＭＲセンサ１１６でマグネット１２５ｂの磁界が検出され、分離していないことが判明する。
【００６０】
スライド状態では、可動部１１０の接点パッド１１４ｂと接点パッド１２３とが向かい合い接触する。これにより、可動部１１０と本体部１２０とは、接点パッド１１４ｂ，１２３を介した接触通信が可能となる。また、スライド状態では、可動部１１０のＭＲセンサ１１６と本体部１２０のマグネット１２５ａとが向かい合う。これにより、ＭＲセンサ１１６でマグネット１２５ａの磁界が検出され、分離していないことが判明する。
【００６１】
分離状態では、可動部１１０の接点パッド１１４ａ，１１４ｂの何れも、本体部１２０の接点パッド１２３と接触しない。従って、可動部１１０と本体部１２０との間では、接触通信が行われない。また、分離状態では、可動部１１０のＭＲセンサ１１６は、本体部１２０のマグネット１２５ａ，１２５ｂの何れとも向かい合わない。従って、ＭＲセンサ１１６で磁界が検出されず、分離状態であることが判明する。
【００６２】
なお、収納状態とスライド状態とは、接点パッド１１４ａ，１１４ｂの何れで通信可能かを検出することで区別できる。また、前述のように、接点パッド１１４ａ，１１４ｂ，１２３に代えて無線ポート（例えば、赤外線ポート）を設けた場合は、何れの無線ポートで無線信号を検出できるかによって区別することができる。
【００６３】
図６は、携帯電話機の機能を示すブロック図である。可動部１１０および本体部１２０がそれぞれプログラムを実行することで、図６に示すような機能が携帯電話機１００に実現される。ただし、これら機能の全部または一部を専用のハードウェア回路で実現することも可能である。なお、図６では、入力キー制御以外の機能（例えば、基地局との通信機能）については記載を省略している。
【００６４】
可動部１１０には、制御部１１８がメモリ１１９に格納されたプログラムを実行することで、設定情報記憶部１３１、状態検出部１３２、設定変更制御部１３３および設定画面表示部１３４が実現される。
【００６５】
設定情報記憶部１３１は、設定情報を記憶する。設定情報記憶部１３１としての記憶領域は、例えば、ＣＰＵがプログラムを実行することでＲＡＭ上に確保される。設定情報には、キーパッド１２２の制御に用いる情報が含まれる。具体的には、現在適用されている文字割り当て、スライド状態および分離状態で適用される文字割り当て、バックライトの消灯タイミングなどが設定情報で定義される。設定情報の内容はユーザが定義できる。
【００６６】
状態検出部１３２は、可動部１１０の現在状態が、収納状態・スライド状態・分離状態の何れであるかを検出する。具体的には、状態検出部１３２は、ＭＲセンサ１１６の検出状況に基づいて分離状態と他の状態とを区別する。更に、接点パッド１１４ａ，１１４ｂの接触状況に基づいて、収納状態とスライド状態とを区別する。状態検出部１３２は、現在状態が変化すると、設定変更制御部１３３に通知する。
【００６７】
設定変更制御部１３３は、キーパッド１２２についての設定変更を制御する。具体的には、設定変更制御部１３３は、設定画面表示部１３４に設定画面の表示を指示し、ユーザに文字割り当て方法の設定を促す。ユーザが設定画面に対する入力を行うと、入力内容に応じて設定情報記憶部１３１に記憶された設定情報を更新する。また、設定変更制御部１３３は、状態検出部１３２から状態変化の通知を受けた場合や、本体部１２０から設定変更の通知を受けた場合も、設定情報記憶部１３１に記憶された設定情報を更新する。
【００６８】
更に、設定情報記憶部１３１は、可動部１１０側の判断で設定情報記憶部１３１に記憶された設定情報を更新した場合は、設定変更を反映させるよう本体部１２０に通知する。設定変更の通知は、収納状態およびスライド状態では接点通信により行い、分離状態では無線通信により行う。
【００６９】
設定画面表示部１３４は、設定変更制御部１３３からの指示を受けて、ディスプレイ１１１に設定画面を表示する。設定画面上では、スライド状態で適用される文字割り当て、分離状態で適用される文字割り当て、バックライトの消灯タイミングなどを選択できる。
【００７０】
本体部１２０には、制御部１２６がメモリ１２７に格納されたプログラムを実行することで、設定情報記憶部１３５、キー操作検出部１３６、設定変更制御部１３７およびバックライト制御部１３８が実現される。
【００７１】
設定情報記憶部１３５は、可動部１１０の設定情報記憶部１３１と同様の設定情報を記憶する。すなわち、設定情報では、現在適用されている文字割り当て、スライド状態および分離状態で適用される文字割り当て、バックライトの消灯タイミングなど、キーパッド１２２の制御に用いる情報が含まれる。設定情報記憶部１３５としての記憶領域は、例えば、ＣＰＵがプログラムを実行することでＲＡＭ上に確保される。
【００７２】
キー操作検出部１３６は、キーパッド１２２の入力キーの押下を検出し、バックライト制御部１３８に通知する。また、キー操作検出部１３６は、文字割り当ての変更を示す所定のキー操作を検出すると、設定変更制御部１３７に通知する。所定のキー操作は、例えば、所定の入力キーを一定時間以上連続で押し続ける操作などである。ユーザは、このようなキー操作を行うことで、手動で入力キーへの文字割り当てを変更することができる。
【００７３】
設定変更制御部１３７は、キーパッド１２２についての設定変更を制御する。具体的には、設定変更制御部１３７は、可動部１１０の設定変更制御部１３３から設定変更の通知を受けると、通知内容に応じて設定情報記憶部１３５に記憶された設定情報を更新する。これにより、可動部１１０側の設定情報と本体部１２０側の設定情報が同期する。また、キー操作検出部１３６から通知を受けた場合、設定情報記憶部１３５に記憶された設定情報を更新すると共に、設定変更を反映させるよう可動部１１０に通知する。
【００７４】
バックライト制御部１３８は、キー操作検出部１３６から通知された入力キーの押下状況と設定情報記憶部１３５に記憶された設定情報とに基づいて、キーパッド１２２のバックライトを制御する。具体的には、バックライト制御部１３８は、設定情報に基づいて入力キーへの文字割り当てを行い、使用されない（文字割り当てが行われない）領域のバックライトを消す。また、最後に入力キーが押下されてから、設定情報で定義された時間が経過すると、使用される（文字割り当てが行われた）領域のバックライトも消す。その後、入力キーが押下されると、使用される領域のバックライトを再び点灯させる。
【００７５】
図７は、設定情報のデータ構造を示す図である。図７に示す設定情報テーブル１３１ａは、可動部１１０の設定情報記憶部１３１に格納される。同様のテーブルが、本体部１２０の設定情報記憶部１３５にも格納される。なお、図７では設定情報をテーブル形式で表現したが、ＸＭＬ（eXtensible Markup Language）やＣＳＶ（Comma Separated Values）など、他のデータ形式で表現することもできる。
【００７６】
設定情報テーブル１３１ａは、設定項目名を示す項目欄、設定値を示す値欄、および、設定値の意味を示す備考欄を有する。値欄には、備考欄で定義された数値が設定される。「現在」の設定項目では、現在の入力キーの文字割り当て方法が定義される。「スライド状態」の設定項目では、スライド状態になったとき自動で適用される文字割り当て方法が定義される。「分離状態」の設定項目では、分離状態になったとき自動で適用される文字割り当て方法が定義される。「バックライト」の設定項目では、最後に入力キーが押下されてから自動でバックライトを消すまでの待機時間が定義される。
【００７７】
文字割り当て方法は、例えば、省電力状態、テンキースタイル、ＱＷＥＲＴＹスタイル、エンターテイメントスタイルから選択する。省電力状態では、分離時に露出する第１の領域とスライド時に露出する第２の領域を共にＯＦＦにする。テンキースタイルでは、第１の領域をＯＦＦにし、第２の領域でテンキーを実現する。ＱＷＥＲＴＹスタイルでは、第１および第２の領域でＱＷＥＲＴＹキーボードを実現する。エンターテイメントスタイルでは、ＱＷＥＲＴＹキーボードと異なるキー配列のキーボードを実現する。
【００７８】
バックライトの消灯タイミングは例えば、５秒、１０秒、１５秒、３０秒、常時から選択する。常時を選択した場合は、バックライトの自動消灯は行わない。
なお、「現在」の設定項目以外の設定項目は、ユーザが任意に設定できる。設定画面表示部１３４は、例えば、「スライド状態」、「分離状態」、「バックライト」それぞれについて、備考欄に示した選択肢から１つを選択できるような設定画面を提供する。前述のように、可動部１１０が長手方向のスライドと短手方向のスライドの両方が可能な場合には、縦スライド時と横スライド時それぞれについて文字割り当て方法を設定できるようにしてもよい。
【００７９】
図８は、キー割当スタイルを示す第１の図である。図８の例では、キーパッド１２２は本体部１２０の上面寄り（図８の右側）に１５個の入力キーを備え、中央付近に十字入力用の入力キーおよび機能呼び出し用の入力キーを備え、底面寄り（図８の左側）に１５個の入力キーを備える。図８（Ａ）は省電力状態を示し、図８（Ｂ）はテンキースタイルを示している。
【００８０】
省電力状態では、上面寄り入力キーと底面寄り入力キーの両方について、文字割り当てが行われず、入力キー表面に文字が表示されない。可動部１１０が収納状態のとき、キーパッド１２２は省電力状態であることが好ましい。なお、収納状態では、キーパッド１２２を使用しない代わりに、ディスプレイ１１１に入力キーを表示し、ユーザがタッチパネル１１３に対するタッチ操作を行って文字入力できるようにしてもよい。
【００８１】
テンキースタイルでは、底面寄り入力キーに、テンキーとして使用するための文字が割り当てられる。割り当てられた文字は、本体部１２０の長手方向が文字の上下方向となるよう表示される。一方、上面寄り入力キーには、文字割り当てが行われず、入力キー表面に文字が表示されない。可動部１１０がスライド状態のとき、キーパッド１２２はテンキースタイルであることが好ましい。
【００８２】
図９は、キー割当スタイルを示す第２の図である。図９の例では、図８と同様、キーパッド１２２は本体部１２０の上面寄りに１５個の入力キーを備え、底面寄りに１５個の入力キーを備える。図９（Ａ）はＱＷＥＲＴＹスタイルを示し、図９（Ｂ）はエンターテイメントスタイルを示している。
【００８３】
ＱＷＥＲＴＹスタイルでは、上面寄り入力キーと底面寄り入力キーの両方を一群の入力キーと見なし、ＱＷＥＲＴＹキーボードとして使用するための文字が割り当てられる。割り当てられた文字は、本体部１２０の短手方向が文字の上下方向となるよう表示される。可動部１１０が分離状態であり、ユーザが文章入力を行うときは、キーパッド１２２はＱＷＥＲＴＹスタイルであることが好ましい。
【００８４】
エンターテイメントスタイルでは、上面寄り入力キーと底面寄り入力キーの両方に対して、文字が割り当てられる。図９（Ｂ）の例では、上面寄りの入力キーには上下左右の記号が割り当てられ、底面寄りの入力キーにはＱＷＥＲＴＹスタイルと同様の文字が割り当てられている。割り当てられた文字は、ＱＷＥＲＴＹスタイルと同様、本体部１２０の短手方向が文字の上下方向となるよう表示される。可動部１１０が分離状態であり、ユーザがゲームや動画閲覧など文章入力以外の操作を行うときは、キーパッド１２２はエンターテイメントスタイルであることが好ましい。
【００８５】
なお、図８，９に示したキーパッド１２２の例では、中央付近に十字入力用の入力キーおよび機能呼び出し用の入力キーを設けた。これにより、ＱＷＥＲＴＹスタイルのとき、ユーザが指のホームポジションを理解しやすくなり、ブラインドタッチが容易になるという利点がある。
【００８６】
また、図９（Ｂ）に示したエンターテイメントスタイルの例では、底面寄りの入力キーにＱＷＥＲＴＹスタイルと同様の文字を割り当てた。これは、ゲームや動画閲覧ソフトウェアなどの応用ソフトウェアが、ショートカットキーとして、Ｚ，Ｘなどの入力キーを使用する可能性があるからである。ただし、図８，９に示した文字割り当ておよび文字表示は一例であり、他にも様々な例が考えられる。例えば、エンターテイメントスタイルで、底面寄り入力キーにテンキーとして使用するための文字を割り当ててもよい。
【００８７】
図１０は、キー割当制御を示す第１のフローチャートである。このフローチャートは、可動部１１０の状態変化に伴う文字割り当ての自動変更を示している。以下では、図１０に示す制御処理をフローチャートのステップ番号に沿って説明する。
【００８８】
（ステップＳ１１）状態検出部１３２は、ＭＲセンサ１１６の検出状況や接点パッド１１４ａ，１１４ｂの接触状況に基づき、可動部１１０の状態変化を検出する。例えば、収納状態からスライド状態への変化や、スライド状態から分離状態の変化を検出する。
【００８９】
（ステップＳ１２）設定変更制御部１３３は、設定情報記憶部１３１に記憶された設定情報を確認する。そして、変化後の可動部１１０の状態に対応する文字割り当て方法（例えば、省電力状態、テンキースタイル、ＱＷＥＲＴＹスタイルまたはエンターテイメントスタイル）を特定する。
【００９０】
（ステップＳ１３）設定変更制御部１３３は、設定変更制御部１３７に対して接続要求を行い、両者の間でコネクションを確立する。コネクションの確立は、現在の可動部１１０の状態（変化後の状態）に応じて、接触通信または無指向性の無線通信により行う。
【００９１】
（ステップＳ１４）設定変更制御部１３３は、ステップＳ１２で特定した文字割り当て方法に基づき、設定情報記憶部１３１に記憶された設定情報のうち、現在の文字割り当て方法を示す情報を更新する。また、設定変更制御部１３３は、ステップＳ１３で確立したコネクションを用いて、設定変更制御部１３７に設定変更を指示する。その際、変更後の文字割り当て方法を通知してもよいし、変化後の可動部１１０の状態を通知してもよい。
【００９２】
（ステップＳ１５）設定変更制御部１３７は、設定変更制御部１３３からの指示に基づき、設定情報記憶部１３５に記憶された設定情報のうち、現在の文字割り当て方法を示す情報を更新する。
【００９３】
（ステップＳ１６）バックライト制御部１３８は、ステップＳ１５で更新された設定情報に基づき、入力キーへの文字割り当ての変更、すなわち、キーパッド１２２のバックライトの点灯・消灯の制御を行う。例えば、スライド時に露出する領域のバックライトと分離時に露出する領域のバックライトそれぞれについて、何れの色のＬＥＤを通電させるか（または、全てのＬＥＤを非通電にするか）を決定し、通電・非通電を切り替える。
【００９４】
（ステップＳ１７）設定変更制御部１３７は、文字割り当ての変更完了を設定変更制御部１３３に通知する。設定変更制御部１３３は、設定変更制御部１３７に対して切断要求を行い、両者の間のコネクションを切断する。
【００９５】
このようにして、可動部１１０は状態変化を検出すると、キーパッド１２２が変化後の状態に応じたスタイルになるよう、本体部１２０に指示する。
なお、上記説明では、可動部１１０側の設定情報を先に更新したが、本体部１２０側の設定情報を先に更新してもよい。また、上記説明では、コネクションの確立後に可動部１１０側の設定情報を更新したが、コネクション確立前に更新してもよい。また、上記説明では、バックライト切り替え後にコネクションを切断したが、バックライト切り替え前に切断してもよい。
【００９６】
また、上記説明では、文字割り当ての変更完了後にコネクションを切断したが、即時に切断しなくてもよい。例えば、ユーザのキー操作を示す入力信号を本体部１２０から可動部１１０に送信するために、ステップＳ１３で確立したコネクションを利用してもよい。その場合、例えば、その後に一定時間以上連続してキー操作が行われないことを検知してから、コネクションを切断すればよい。ただし、コネクションを維持する時間を短くした方が、より省電力化が図れる。
【００９７】
図１１は、キー割当制御を示す第２のフローチャートである。このフローチャートは、ユーザのキー操作に伴う文字割り当ての手動変更を示している。以下では、図１１に示す制御処理をフローチャートのステップ番号に沿って説明する。
【００９８】
（ステップＳ２１）キー操作検出部１３６は、ユーザがキーパッド１２２に対し、文字割り当ての変更を示す所定のキー操作を行ったことを検出する。所定のキー操作は、例えば、機能キーなどの所定の入力キーを一定時間以上連続で押し続ける操作などである。
【００９９】
（ステップＳ２２）設定変更制御部１３７は、設定情報記憶部１３５に記憶された設定情報を確認する。そして、変更後の文字割り当て方法（例えば、ＱＷＥＲＴＹスタイルまたはエンターテイメントスタイル）を特定する。なお、ステップＳ２１で検出した所定のキー操作と文字割り当て方法との対応関係は、予め設定しておく。例えば、所定のキー操作が行われる毎に、ＱＷＥＲＴＹスタイルとエンターテイメントスタイルとを交互に切り替えるように設定できる。
【０１００】
（ステップＳ２３）設定変更制御部１３７は、設定変更制御部１３３に対して接続要求を行い、両者の間でコネクションを確立する。コネクションの確立は、現在の可動部１１０の状態に応じて、接触通信または無指向性の無線通信により行う。
【０１０１】
（ステップＳ２４）設定変更制御部１３７は、ステップＳ２２で特定した文字割り当て方法に基づき、設定情報記憶部１３５に記憶された設定情報のうち、現在の文字割り当て方法を示す情報を更新する。また、設定変更制御部１３７は、ステップＳ２３で確立したコネクションを用いて、設定変更制御部１３３に設定変更を指示する。
【０１０２】
（ステップＳ２５）設定変更制御部１３３は、設定変更制御部１３７からの指示に基づき、設定情報記憶部１３１に記憶された設定情報のうち、現在の文字割り当て方法を示す情報を更新する。そして、設定情報の更新完了を設定変更制御部１３７に通知する。
【０１０３】
（ステップＳ２６）バックライト制御部１３８は、ステップＳ２４で更新された設定情報に基づき、入力キーへの文字割り当ての変更、すなわち、キーパッド１２２のバックライトの点灯・消灯の制御を行う。
【０１０４】
（ステップＳ２７）設定変更制御部１３７は、設定変更制御部１３３に対して切断要求を行い、両者の間のコネクションを切断する。
このようにして、本体部１２０はユーザによる所定のキー操作を検出すると、キーパッド１２２がキー操作に応じたスタイルになるよう制御すると共に、可動部１１０の設定情報を本体部１２０の設定情報と同期させる。
【０１０５】
なお、上記説明では、本体部１２０側の設定情報を先に更新したが、可動部１１０側の設定情報を先に更新してもよい。また、上記説明では、バックライトの切り替えを可動部１１０側の設定情報を更新した後に行ったが、可動部１１０側の設定情報の更新前に行ってもよい。また、上記説明では、コネクションの確立後に本体部１２０側の設定情報を更新したが、コネクション確立前に更新してもよい。また、上記説明では、バックライト切り替え後にコネクションを切断したが、バックライト切り替え前に切断してもよい。
【０１０６】
また、上記説明では、文字割り当ての変更完了後にコネクションを切断したが、即時に切断しなくてもよい。ただし、コネクションを維持する時間を短くした方が、より省電力化が図れる。
【０１０７】
図１２は、キー割当スタイルの変化例を示す状態遷移図である。ここでは、設定情報において、スライド状態とテンキースタイルとが対応付けられ、分離状態とＱＷＥＲＴＹスタイルとが対応付けられているとする。また、収納状態ではキーパッド１２２が省電力状態になるとする。また、ユーザの所定のキー操作によって、ＱＷＥＲＴＹスタイルとエンターテイメントスタイルとが交互に切り替わるものとする。
【０１０８】
省電力状態（ＳＴ１）において、可動部１１０が収納状態からスライド状態に変形すると、キーパッド１２２はテンキースタイル（ＳＴ２）に遷移する。逆に、テンキースタイル（ＳＴ２）において、可動部１１０がスライド状態から収納状態に変形すると、キーパッド１２２は省電力状態（ＳＴ１）に遷移する。
【０１０９】
テンキースタイル（ＳＴ２）において、可動部１１０がスライド状態から分離状態に変形すると、キーパッド１２２はＱＷＥＲＴＹスタイル（ＳＴ３）に遷移する。逆に、ＱＷＥＲＴＹスタイル（ＳＴ３）において、可動部１１０が分離状態からスライド状態に変形するとキーパッド１２２はテンキースタイル（ＳＴ２）に遷移する。
【０１１０】
ただし、通話中に、スライド状態から分離状態に変形した場合は、ＱＷＥＲＴＹスタイルには遷移せず、テンキースタイルが維持される。発呼中については、通話中と同様に、遷移しないようにしてもよい。また、通話中である場合に限らず、動画閲覧中などＱＷＥＲＴＹキーボードが使用される可能性が低いと考えられる場面では、ＱＷＥＲＴＹスタイルに遷移しないように制御してもよい。
【０１１１】
また、スライド状態から分離状態に変形した場合に、即時にＱＷＥＲＴＹスタイルには遷移せず、一定時間待った後、または、ＱＷＥＲＴＹキーボードが使用される可能性が高いと考えられるイベントが発生してから遷移するよう制御してもよい。イベントとして、例えば、入力キーの押下や、電子メール送受信用ソフトウェアの起動などが考えられる。
【０１１２】
ＱＷＥＲＴＹスタイル（ＳＴ３）において、キーパッド１２２に対し所定のキー操作が行われると、エンターテイメントスタイル（ＳＴ４）に遷移する。エンターテイメントスタイル（ＳＴ４）において、再度、所定のキー操作が行われると、ＱＷＥＲＴＹスタイル（ＳＴ３）に遷移する。
【０１１３】
以上、第２の実施の形態に係る携帯電話機１００によれば、ディスプレイ１１１を備える可動部１１０とキーパッド１２２を備える本体部１２０とが分離するため、文章入力などのキー操作をユーザが快適に行うことができる。また、収納状態またはスライド状態においても、可動部１１０と本体部１２０とをコネクタを用いて配線しなくてよいため、構造が簡潔になると共に、金属疲労による故障発生の可能性を低減できる。
【０１１４】
また、本体部１２０の正面のうち分離前には露出しない領域を入力キーの領域として有効活用することができ、分離状態でのキー入力の操作性が向上する。特に、スライド時に露出する領域と分離時に露出する領域の両方を用いてＱＷＥＲＴＹキーボードを実現できるので、入力キーのサイズやキーピッチを大きく確保でき、キー操作が快適になる。
【０１１５】
また、スライド状態と分離状態とで、入力キーへの文字割り当てや文字表示方法を変更できるため、携帯電話機１００の様々な使用方法に柔軟に対応できる。また、キーパッド１２２の複数の領域のバックライトを個別に制御できるため、可動部１１０の状態に対応して効率的に省電力化が図れる。
【０１１６】
［第３の実施の形態］
次に、第３の実施の形態について説明する。前述の第２の実施の形態との相違点を中心に説明し、同様の事項については省略する。第３の実施の形態に係る携帯電話機は、本体部に対して可動部をスライドできるようにする構造が、第２の実施の形態に係る携帯電話機１００と異なる。
【０１１７】
図１３は、第３の実施の形態の携帯電話機の外観を示す図である。第３の実施の形態に係る携帯電話機２００は、可動部２１０と本体部２２０とを有する。可動部２１０は第２の実施の形態の可動部１１０に対応し、本体部２２０は第２の実施の形態の本体部１２０に対応する。可動部２１０は、正面にディスプレイ２１１とスピーカ２１２とを有する。本体部２２０は、正面にマイクロホン２２１とキーパッド２２２とを有する。
【０１１８】
可動部２１０は、本体部２２０の長手方向にスライドできる。可動部２１０がスライドするために、本体部２２０は、正面に窪んだ状態のレール部２０１を有する。レール部２０１は、左側面寄り（図１３（Ａ）の上側）に、スライド方向に沿って設けられている。ただし、レール部２０１を右側面寄り（図１３（Ａ）の下側）に設けてもよい。また、可動部２１０は、ボタン２０３を有する。ボタン２０３は、左側面の底面寄り（図１３（Ａ）の左側）の位置に設けられている。
【０１１９】
図１４は、第３の実施の形態の分離状態の携帯電話機の外観を示す図である。ユーザは図１３に示したスライド状態から、ボタン２０３を押下しつつ可動部２１０を本体部２２０から引き離すことで、分離状態にすることができる。可動部２１０は、背面に接点パッド２１４ａ，２１４ｂを有する。本体部２２０は、正面に接点パッド２２３を有する。
【０１２０】
また、可動部２１０は、背面にフック部２０２を有する。フック部２０２は、左側面寄り（図１４（Ａ）の上側）のボタン２０３の近くに設けられている。ボタン２０３が押下されている間はフック部２０２が開き、ボタン２０３が押下されていない間はフック部２０２が閉じる。フック部２０２は、レール部２０１内に設けられたスライド台に引っ掛けることができる。すなわち、ユーザは、ボタン２０３を押下しつつレール部２０１のスライド台とフック部２０２とを向かい合わせ、ボタン２０３から指を離すことで、可動部２１０と本体部２２０とを結合することができる。レール部２０１内ではスライド台がスライドする。
【０１２１】
なお、図１３の例では、可動部２１０を長手方向にスライドできるようにしたが、短手方向にスライドできるようにしてもよい。その場合、底面寄り（図１３（Ａ）の左側）または上面寄り（図１３（Ａ）の右側）に、レール部およびフック部を設ければよい。また、可動部２１０を長手方向と短手方向の両方向にスライドできるようにしてもよい。その場合、長手方向にスライドするためのレール部およびフック部と、短手方向にスライドするためのレール部およびフック部とを両方設ければよい。
【０１２２】
以上、第３の実施の形態に係る携帯電話機２００によれば、第２の実施の形態に係る携帯電話機１００と同様、可動部２１０を本体部２２０に対してスライド可能かつ分離可能な構造にすることができる。
【０１２３】
［第４の実施の形態］
次に、第４の実施の形態について説明する。前述の第２の実施の形態との相違点を中心に説明し、同様の事項については省略する。第４の実施の形態に係る携帯電話機は、携帯電話機の全体の制御機能を、可動部に代えて本体部に設けるようにしたものである。
【０１２４】
図１５は、第４の実施の形態の携帯電話機のハードウェアを示すブロック図である。第４の実施の形態に係る携帯電話機３００は、可動部３１０と本体部３２０とを有する。可動部３１０は第２の実施の形態の可動部１１０に対応し、本体部３２０は第２の実施の形態の本体部１２０に対応する。
【０１２５】
可動部３１０は、ディスプレイ３１１、スピーカ３１２、タッチパネル３１３、接点パッド３１４ａ，３１４ｂ、無線通信部３１５、マグネット３１６ａ，３１６ｂ、制御部３１７およびメモリ３１８を有する。上記ユニットの機能は、それぞれ、第２の実施の形態のディスプレイ１１１、スピーカ１１２、タッチパネル１１３、接点パッド１１４ａ，１１４ｂ、無線通信部１１５、マグネット１２５ａ，１２５ｂ、制御部１２６およびメモリ１２７と同様である。
【０１２６】
本体部３２０は、マイクロホン３２１、キーパッド３２２、接点パッド３２３、無線通信部３２４、ＭＲセンサ３２５、無線部３２６、制御部３２７およびメモリ３２８を有する。上記ユニットの機能は、それぞれ、第２の実施の形態のマイクロホン１２１、キーパッド１２２、接点パッド１２３、無線通信部１２４、ＭＲセンサ１１６、無線部１１７、制御部１１８およびメモリ１１９と同様である。
【０１２７】
ここで、基地局との無線通信機能およびメインの制御機能は、本体部３２０が有する。すなわち、制御部３１７は、制御部３２７の制御に基づき、可動部３１０側の動作を制御する。制御部３１７は、接点パッド３１４ａ，３１４ｂの接触状況を検出し、例えば、非指向性の無線通信により制御部３２７に通知する。一方、制御部３２７は、携帯電話機３００全体を制御する。制御部３２７は、接触状況と磁界の検出状況とに基づいて、可動部３１０の状態（収納状態、スライド状態または分離状態）を判断し、キーパッド３２２のバックライトを制御する。
【０１２８】
なお、制御部３１７の処理能力は、制御部３２７の処理能力と同等でなくてもよい。例えば、制御部３１７のＣＰＵの演算能力を制御部３２７のＣＰＵの演算能力より低くしてもよい。また、図１５では可動部３１０に２つの接点パッド３１４ａ，３１４ｂを設け、本体部３２０に１つの接点パッド３２３を設けているが、個数を逆にしてもよい。また、ＭＲセンサ３２５とマグネット３１６ａ，３１６ｂの配置を逆にしてもよい。また、第２の実施の形態で述べたように、可動部３１０と本体部３２０とが指向性を有する無線通信方式（例えば、赤外線通信方式）で通信を行ってもよい。その場合、接点パッド３１４ａ，３１４ｂ，３２３に代えて、無線ポート（例えば、赤外線ポート）を設ければよい。
【０１２９】
以上、第４の実施の形態に係る携帯電話機３００によれば、第２の実施の形態に係る携帯電話機１００と同様、可動部３１０の状態に応じて入力キーへの文字割り当てを変更できる。その際、本体部３２０がメインの制御機能を有するため、可動部３１０と本体部３２０との間のコネクション確立を待たずに文字割り当てを変更できる可能性がある。
【０１３０】
［第５の実施の形態］
次に、第５の実施の形態について説明する。前述の第２の実施の形態との相違点を中心に説明し、同様の事項については省略する。第５の実施の形態に係る携帯電話機は、ＭＲセンサのみを用いて、収納状態とスライド状態と分離状態を区別可能にしたものである。
【０１３１】
図１６は、第５の実施の形態の状態検出方法を示す図である。第５の実施の形態に係る携帯電話機４００は、可動部４１０と本体部４２０とを有する。可動部４１０は第２の実施の形態の可動部１１０に対応し、本体部４２０は第２の実施の形態の本体部１２０に対応する。図１６では、可動部４１０と本体部４２０とを正面から見ている。ただし、記載上、可動部４１０と本体部４２０とを横に並べて表しているが、実際は、可動部４１０と本体部４２０とが重なっている。
【０１３２】
可動部４１０は、左側面寄り（図１６の左側）かつ底面寄りの位置にＭＲセンサ４１６ａを備え、右側面寄り（図１６の右側）かつ底面寄りの位置にＭＲセンサ４１６ｂを備えている。本体部４２０は、左側面寄りかつ長手方向の中央付近の位置にマグネット４２５ａを備え、右側面寄りかつ底面寄りの位置にマグネット４２５ｂを備えている。
【０１３３】
収納状態（図１６（Ａ））では、ＭＲセンサ４１６ｂとマグネット４２５ｂとが向かい合う。これにより、ＭＲセンサ４１６ｂで磁界が検出される。スライド状態（図１６（Ｂ））では、ＭＲセンサ４１６ａとマグネット４２５ａとが向かい合う。これにより、ＭＲセンサ４１６ａで磁界が検出される。分離状態（図１６（Ｃ））では、ＭＲセンサ４１６ａ，４１６ｂの何れも、マグネット４２５ａ，４２５ｂと向かい合わない。従って、ＭＲセンサ４１６ａ，４１６ｂでは磁界が検出されない。
【０１３４】
これにより、可動部４１０は、収納状態とスライド状態と分離状態とを区別して検出できる。すなわち、ＭＲセンサ４１６ａが検出ＯＦＦかつＭＲセンサ４１６ｂが検出ＯＮであれば、収納状態と判定できる。ＭＲセンサ４１６ａが検出ＯＮかつＭＲセンサ４１６ｂが検出ＯＦＦであれば、スライド状態と判定できる。ＭＲセンサ４１６ａ，４１６ｂ両方が検出ＯＦＦであれば、分離状態と判定できる。
【０１３５】
なお、２つのＭＲセンサ４１６ａ，４１６ｂを可動部４１０の長手方向に並べて設け、２つのマグネット４２５ａ，４２５ｂを本体部４２０の長手方向に並べて設けても、収納状態とスライド状態と分離状態とを区別して検出できる。
【０１３６】
以上、第５の実施の形態に係る携帯電話機４００によれば、第２の実施の形態に係る携帯電話機１００と同様、可動部４１０の状態を特定して、入力キーへの文字割り当てを動的に変更できる。その際、接触通信が可能か否かを確認しなくても、磁気検出により収納状態とスライド状態と分離状態とを区別できる。従って、状態特定の速度向上や、通信に伴う電力消費の抑制という効果が期待できる。
【０１３７】
なお、以上の第２〜第５の実施の形態の思想は任意に組み合わせることが可能である。
また、第２〜第５の実施の形態の機能をプログラムで実現する場合に、そのようなプログラムを携帯電話機１００，２００，３００，４００の製造後に組み込むことも可能である。プログラムは、コンピュータ読み取り可能な記録媒体に記録しておくことができる。記録媒体には、例えば、磁気記録装置、光ディスク、光磁気記録媒体、半導体メモリがある。磁気記録装置には、ＨＤＤ（Hard Disk Drive）、フレキシブルディスク（ＦＤ）、磁気テープなどがある。光ディスクには、ＣＤ（Compact Disc）、ＣＤ−Ｒ（Recordable）／ＲＷ（ReWritable）、ＤＶＤ（Digital Versatile Disc）、ＤＶＤ−Ｒ／ＲＷ／ＲＡＭなどがある。光磁気記録媒体には、ＭＯ（Magneto-Optical disk）などがある。
【０１３８】
プログラムを流通させる場合、例えば、そのプログラムが記録された可搬型記録媒体が譲渡される。また、プログラムをサーバコンピュータの記憶装置に格納しておき、ネットワーク経由で、そのサーバコンピュータから携帯電話機１００，２００，３００，４００にプログラムを転送することもできる。携帯電話機１００，２００，３００，４００は、例えば、可搬型記録媒体に記録されたプログラムまたはサーバコンピュータに格納されたプログラムを取得し、不揮発性メモリに格納して実行する。
【０１３９】
以上の第１〜第５の実施の形態を含む実施の形態に関し、更に以下の付記を開示する。
（付記１）  第１の筐体と、
前記第１の筐体に対しクローズしている第１の形態と、前記第１の形態から前記第１の筐体に対してスライドさせた第２の形態と、前記第１の筐体と分離している第３の形態とを含む変形形態をとる第２の筐体と、
前記第１の筐体の表面上であって、前記第１の形態および前記第２の形態では前記第２の筐体によって覆われ、前記第３の形態では露出する位置に設けられた入力キーと、
を有することを特徴とする携帯端末装置。
【０１４０】
（付記２）  前記第１の筐体の表面上であって、前記第１の形態では前記第２の筐体によって覆われ、前記第２の形態および前記第３の形態では露出する位置に設けられた他の入力キーを更に有することを特徴とする付記１記載の携帯端末装置。
【０１４１】
（付記３）  前記第３の形態では、前記入力キーおよび前記他の入力キーを含む入力キー群を一体の入力デバイスと見なし、前記入力キー群に文字群を割り当てる制御部を更に有することを特徴とする付記２記載の携帯端末装置。
【０１４２】
（付記４）  前記第２の形態の場合と前記第３の形態の場合とで、前記他の入力キーに異なる文字を割り当てる制御部を更に有することを特徴とする付記２記載の携帯端末装置。
【０１４３】
（付記５）  前記制御部は、所定の種類の通信が行われている間に前記第２の形態から前記第３の形態に変形した場合は、前記他の入力キーに割り当てる文字を変更しないことを特徴とする付記４記載の携帯端末装置。
【０１４４】
（付記６）  前記第２の形態のとき前記他の入力キー上に文字を表示させ、前記第３の形態のとき前記入力キーおよび前記他の入力キー上に前記第２の形態のときとは異なる角度で文字を表示させる制御部を更に有することを特徴とする付記２記載の携帯端末装置。
【０１４５】
（付記７）  前記第１の形態では前記他の入力キー上に文字を表示させず、前記第２の形態および前記第３の形態では前記他の入力キー上に文字を表示させる制御部を更に有することを特徴とする付記２記載の携帯端末装置。
【０１４６】
（付記８）  前記制御部は、前記第２の筐体内に設けられており、前記第１の筐体と通信を行って前記入力キーおよび前記他の入力キーを制御することを特徴とする付記３乃至７の何れか一項に記載の携帯端末装置。
【０１４７】
（付記９）  前記第１の形態および前記第２の形態では前記入力キー上に文字を表示させず、前記第３の形態では前記入力キー上に文字を表示させる制御部を更に有することを特徴とする付記１記載の携帯端末装置。
【０１４８】
（付記１０）  前記第１の筐体および前記第２の筐体の一方が磁性体を有し、他方が磁気センサを有し、
前記制御部は、前記磁気センサによる前記磁性体の検出状況に応じて、前記第１の筐体と前記第２の筐体とが分離しているか否か判断する、
ことを特徴とする付記９記載の携帯端末装置。
【符号の説明】
【０１４９】
１  携帯端末装置
１ａ，１ｂ  筐体
１ｃ  入力キー
１００  携帯電話機
１０１  レール部
１０２  枠部
１１０  可動部
１１１  ディスプレイ
１１２  スピーカ
１１４ａ，１１４ｂ，１２３  接点パッド
１２０  本体部
１２１  マイクロホン
１２２  キーパッド
【図１】
2010288065.tif 000003
【図２】
2010288065.tif 000004
【図３】
2010288065.tif 000005
【図４】
2010288065.tif 000006
【図５】
2010288065.tif 000007
【図６】
2010288065.tif 000008
【図７】
2010288065.tif 000009
【図８】
2010288065.tif 000010
【図９】
2010288065.tif 000011
【図１０】
2010288065.tif 000012
【図１１】
2010288065.tif 000013
【図１２】
2010288065.tif 000014
【図１３】
2010288065.tif 000015
【図１４】
2010288065.tif 000016
【図１５】
2010288065.tif 000017
【図１６】
2010288065.tif 000018